(57)【要約】【課題】旗竿への付け外しを簡単に行うことができるのぼり旗を提供する。【解決手段】縦長の長方形の合成繊維の生地からなる旗布１１と、この旗布１１の上縁ＵＥ及び一方の側縁ＳＥにそれぞれ連設された、旗竿を通すための複数の乳Ｃｕ、Ｃｓとから構成されており、それぞれの乳Ｃｕ、Ｃｓは、綿布からなる帯状のループ形成材１２によって形成されている。乳Ｃｕは、帯状のループ形成材１２の両端部で旗布１１の上縁ＵＥを挟み込んだ状態で、その両端部を旗布１１に縫合することによって形成されており、乳Ｃｓは、ループ形成材１２の一端側が旗布１１に縫合されていると共に、ループ形成材１２の他端側がループ形成材１２の一端側（旗布１１）に、スナップ１３を介して、着脱自在に接合されることで形成されている。【選択図】        図１
0003167992.tif 000002
【実用新案登録請求の範囲】
【請求項１】
旗布の一方の側縁及び上縁に、旗竿を通すための乳を形成するループ形成材が取り付けられたのぼり旗において、
少なくとも、前記旗布の一方の側縁に取り付けられるループ形成材は、分断可能にループを形成するようになっていることを特徴とするのぼり旗。
【請求項２】
前記旗布の一方の側縁に取り付けられる前記ループ形成材は、その一端が前記旗布に固定的に接合されていると共に、その他端が前記旗布または前記帯状片の一端に着脱自在に接合されている請求項１に記載ののぼり旗。
【請求項３】
前記ループ形成材の一端と他端とが、スナップを介して接合されるようになっている請求項２に記載ののぼり旗。
【考案の詳細な説明】
【技術分野】
【０００１】
この考案は、街頭での広告等に使用されるのぼり旗に関する。
【背景技術】
【０００２】
この種ののぼり旗は、図６及び図７に示すように、縦長の長方形の旗布５１の上縁及び一方の側縁に、旗竿を通すための乳Ｃが所定間隔を開けて連設されており、図８に示すように、支持台ＳＢに立設された、縦竿ＶＰ及び横竿ＨＰからなる旗竿ＦＰに取り付けた状態で使用される。
【０００３】
それぞれの乳Ｃは、図７に示すように、綿布からなる帯状のループ形成材５２によって形成されており、帯状のループ形成材５２の両端部で旗布５１の上縁または側縁を挟み込んだ状態で、その両端部を旗布５１に縫合することによって形成されている。
【先行技術文献】
【特許文献】
【０００４】
【特許文献１】特開２００７−１０８３８７号公報
【考案の概要】
【考案が解決しようとする課題】
【０００５】
ところで、上述したようなのぼり旗５０を旗竿ＦＰに取り付けるには、まず、図９（ａ）に示すように、旗布５１の一方の側縁に取り付けられたループ形成材５２によって形成される乳Ｃに縦竿ＶＰを通した後、同図（ｂ）に示すように、旗布５１の上縁に取り付けられたループ形成材５２によって形成される乳Ｃに横竿ＨＰを通しながら、横竿ＨＰの基端部を縦竿ＶＰの上端部に連結し、図８に示すように、縦竿ＶＰの下端部を支持台ＳＢに立設することになる。
【０００６】
従って、このようにして旗竿ＦＰに取り付けられたのぼり旗５０を別ののぼり旗５０に交換するには、まず、縦竿ＶＰを支持台ＳＢから取り外した状態で、図１０（ａ）に示すように、縦竿ＶＰと横竿ＨＰとの連結を解除し、旗布５１の上縁に取り付けられたループ形成材５２によって形成される乳Ｃから横竿ＨＰを抜き取った後、同図（ｂ）に示すように、旗布５１の一方の側縁に取り付けられたループ形成材５２によって形成される乳Ｃから縦竿ＶＰを抜き取り、上述したような取付方法によって、新たなのぼり旗５０を旗竿ＦＰに取り付けなければならず、のぼり旗５０の交換には、かなりの手間と時間とを要することになる。
【０００７】
そこで、この考案の課題は、旗竿への付け外しを簡単に行うことができるのぼり旗を提供することにある。
【課題を解決するための手段】
【０００８】
上記の課題を解決するため、請求項１に係る考案は、旗布の一方の側縁及び上縁に、旗竿を通すための乳を形成するループ形成材が取り付けられたのぼり旗において、少なくとも、前記旗布の一方の側縁に取り付けられるループ形成材は、分断可能にループを形成するようになっていることを特徴とするのぼり旗を提供するものである。
【０００９】
また、請求項２に係る考案は、請求項１に係る考案ののぼり旗において、前記旗布の一方の側縁に取り付けられる前記ループ形成材は、その一端が前記旗布に固定的に接合されていると共に、その他端が前記旗布または前記帯状片の一端に着脱自在に接合されていることを特徴としている。
【００１０】
また、請求項３に係る考案は、請求項２に係る考案ののぼり旗において、前記ループ形成材の一端と他端とが、スナップを介して接合されるようになっていることを特徴としている。
【考案の効果】
【００１１】
請求項１に係る考案ののぼり旗は、旗布の一方の側縁に取り付けられるループ形成材が、分断可能にループを形成するようになっているので、旗竿に取り付けられているのぼり旗を新たなのぼり旗に交換する場合は、旗布の一方の側縁に取り付けられるループ形成材によって形成されたループを一旦分断することによって、ループ形成材から縦竿を外した後、縦竿に対する横竿の連結を解除することなく、横竿からのぼり旗を引き抜くだけで、旗竿からのぼり旗を簡単に取り外すことができ、新たなのぼり旗を旗竿に取り付けるには、縦竿に横竿を連結した状態で、旗布の上縁に取り付けられたループ形成材によって形成される乳に横竿を通すようにして、のぼり旗を横竿に吊り下げた後、旗布の一方の側縁に取り付けられているループ形成材のループを分断し、分断されたループ内に縦竿を入れた状態で、再度ループを形成するだけで、新たなのぼり旗を簡単に旗竿に取り付けることができる。
【００１２】
以上のように、こののぼり旗を使用すると、旗竿に対してのぼり旗を取り外す際に、縦竿から横竿を取り外したり、旗竿に対してのぼり旗を取り付ける際に、横竿を縦竿に取り付けたりする必要がなく、常時、縦竿に横竿を取り付けた状態で、旗竿に対するのぼり旗の付け外しを行うことができるので、手間をかけることなく、短時間でのぼり旗を交換することができる。特に、旗竿を支持台に立設する場合は、旗竿を支持台から取り外すことなく、のぼり旗を交換することができるので、非常に便利である。
【００１３】
また、請求項２に係る考案ののぼり旗では、旗布の一方の側縁に取り付けられるループ形成材は、その一端が旗布に固定的に接合されていると共に、その他端が旗布または帯状片の一端に着脱自在に接合されているので、ループ形成材を２ピースに分割してそれぞれを旗布に接合する必要がなく、ループ形成材の旗布への接合作業を効率よく行うことができる。
【００１４】
また、請求項３に係る考案ののぼり旗は、ループ形成材の一端と他端とが、スナップを介して接合されるようになっているので、ループの分断及び再ループを、円滑かつ確実に行うことができる。
【図面の簡単な説明】
【００１５】
【図１】この考案に係るのぼり旗の一実施形態を示す平面図である。
【図２】（ａ）は同上ののぼり旗における旗布の一方の側縁に連設された乳を形成しているループ形成材のループを分断した状態を示す斜視図、（ｂ）は同上のループ形成材のループを形成した状態を示す斜視図である。
【図３】同上ののぼり旗の旗竿への取付方法を説明するための説明図である。
【図４】同上ののぼり旗の旗竿への取付方法を説明するための説明図である。
【図５】同上ののぼり旗を旗竿に取り付けた状態を示す斜視図である。
【図６】従来ののぼり旗を示す平面図である。
【図７】同上ののぼり旗における旗布の上縁及び側縁に連設された乳を形成しているループ形成材を示す斜視図である。
【図８】同上ののぼり旗を旗竿に取り付けた状態を示す斜視図である。
【図９】（ａ）、（ｂ）は同上ののぼり旗の旗竿への取り付け方法を説明するための説明図である。
【図１０】（ａ）、（ｂ）は同上ののぼり旗の旗竿からの取り外し方法を説明するための説明図である。
【考案を実施するための形態】
【００１６】
以下、実施の形態について図面を参照して説明する。図１に示すように、こののぼり旗１は、縦長の長方形の合成繊維の生地からなる旗布１１と、この旗布１１の上縁ＵＥ及び一方の側縁ＳＥにそれぞれ連設された、旗竿を通すための複数の乳Ｃｕ、Ｃｓとから構成されており、それぞれの乳Ｃｕ、Ｃｓは、綿布からなる帯状のループ形成材１２によって形成されている。
【００１７】
前記旗布１１の上縁ＵＥに連設された３つの乳Ｃｕは、図７に示す従来ののぼり旗５０の乳Ｃと同様に、帯状のループ形成材１２の両端部で旗布１１の上縁ＵＥを挟み込んだ状態で、その両端部を旗布１１に縫合することによって形成されている。
【００１８】
前記旗布１１の一方の側縁ＳＥに連設された５つの乳Ｃｓは、分断可能にループが形成されている。具体的には、図２（ａ）、（ｂ）に示すように、帯状のループ形成材１２の一方の端部と同様の綿布からなる補強材１４とによって旗布１１の側縁ＳＥを挟み込んだ状態で、ループ形成材１２の一方の端部を旗布１１の一方の面に縫合すると共に、スナップ１３を構成している凹部材１３ａを、その嵌合部が旗布１１の他方の面側に位置している補強材１４の表面から突出するような状態に取り付け、ループ形成材１２の他方の端部を二つ折りした補強材１５で挟着して補強すると共に、スナップ１３の凸部材１３ｂを、その嵌合部がループ形成材１２における凹部材１３ａの嵌合部の突出面側に突出するような状態で取り付けてあり、スナップ１３の凹部材１３ａと凸部材１３ｂとを嵌合させることによって、ループが形成されるようになっている。
【００１９】
以上のように構成されたのぼり旗１を、旗竿ＦＰに取り付けるには、まず、図３に示すように、旗竿ＦＰを構成している縦竿ＶＰに横竿ＨＰを連結し、縦竿ＶＰを支持台ＳＢに立設すると共に、のぼり旗１における旗布１１の一方の側縁ＳＥに連設された５つの乳Ｃｓを形成している全てのループ形成材１２に装着されたスナップ１３の凹部材１３ａと凸部材１３ｂとの嵌合を解除することによってループを分断し、のぼり旗１における旗布１１の上縁ＵＥに連設された乳Ｃｕに横竿ＨＰを通して、図４に示すように、のぼり旗１を横竿ＨＰに吊り下げた後、図５に示すように、５つの乳Ｃｓを形成している全てのループ形成材１２を縦竿ＶＰに巻き付けてスナップ１３の凹部材１３ａと凸部材１３ｂとを嵌合させることによってループを形成すればよい。
【００２０】
また、旗竿ＦＰに取り付けてあるのぼり旗１を別ののぼり旗１に交換するには、まず、図４に示すように、スナップ１３の凹部材１３ａと凸部材１３ｂとの嵌合を解除することによって、縦竿ＶＰを通してある５つの乳Ｃｓを形成している全てのループ形成材１２のループを分断した後、横竿ＨＰから引き抜くことによってのぼり旗１を取り外し、上述したような方法によって別ののぼり旗を旗竿ＦＰに取り付ければよい。
【００２１】
以上のように、こののぼり旗１を使用すると、旗竿ＦＰに対してのぼり旗１を取り外す際に、縦竿ＶＰから横竿ＨＰを取り外したり、旗竿ＦＰに対してのぼり旗１を取り付ける際に、横竿ＨＰを縦竿ＶＰに取り付けたりする必要がなく、常時、縦竿ＶＰに横竿ＨＰを取り付けた状態で、旗竿ＦＰに対するのぼり旗１の付け外しを行うことができるので、旗竿ＦＰを支持台ＳＢから取り外す必要もなく、手間をかけることなく、短時間でのぼり旗を交換することができる。
【００２２】
また、こののぼり旗１では、旗布１１の一方の側縁ＳＥに連設された５つの乳Ｃｓを形成しているループ形成材１２は、その一端側が旗布１１に固定的に接合されていると共に、その他端側がループ形成材１２の一端側（旗布１１）に着脱自在に接合されるようになっているので、ループ形成材を２ピースに分割してそれぞれを旗布に接合する必要がなく、ループ形成材１２の旗布１１への接合作業を効率よく行うことができる。
【００２３】
また、こののぼり旗１は、旗布１１の一方の側縁ＳＥに連設された５つの乳Ｃｓを形成しているループ形成材１２の一端と他端とが、スナップ１３を介して接合されるようになっているので、ループの分断及び再ループを、円滑かつ確実に行うことができ、作業性がよい。
【００２４】
なお、上述した実施形態では、スナップ１３によって、乳Ｃｓを形成しているループ形成材１２の両端部を着脱自在に連結するようにしているが、これに限定されるものではなく、例えば、補強材１４及び補強材１５に面ファスナを構成している雄部材及び雌部材を取り付けたり、補強材１４にボタンを取り付けると共に、補強材１５側にそのボタンをかけるボタン穴を形成したりしておくことも可能である。ただし、操作性及び連結強度を考慮すると、スナップを使用することが望ましい。
【００２５】
また、上述した実施形態では、旗布１１の上縁ＵＥに連設された３つの乳Ｃｕは、従来ののぼり旗の乳と同様に、帯状のループ形成材１２の両端部で旗布１１の上縁ＵＥを挟み込んだ状態で、その両端部を旗布１１に縫合することによって形成されているが、これに限定されるものではなく、これら３つの乳Ｃｕについても、旗布１１の一方の側縁ＳＥに連設された５つの乳Ｃｓと同様の構成を採用することも可能である。
【産業上の利用可能性】
【００２６】
本考案は、旗竿に取り付けて街頭での広告等に使用されるのぼり旗として利用することができる。
【符号の説明】
【００２７】
１  のぼり旗
１１  旗布
１２  ループ形成材
１３  スナップ
１３ａ  凹部材
１３ｂ  凸部材
１４、１５  補強材
Ｃｕ、Ｃｓ  乳
ＵＥ  上縁
ＳＥ  側縁
ＦＰ  旗竿
ＶＰ  縦竿
ＨＰ  横竿
ＳＢ  支持台
【図１】
0003167992.tif 000003
【図２】
0003167992.tif 000004
【図３】
0003167992.tif 000005
【図４】
0003167992.tif 000006
【図５】
0003167992.tif 000007
【図６】
0003167992.tif 000008
【図７】
0003167992.tif 000009
【図８】
0003167992.tif 000010
【図９】
0003167992.tif 000011
【図１０】
0003167992.tif 000012